(57)【特許請求の範囲】
【請求項１】
上面側固定部材に設けた収納部に第１電子部品を収納し、その裏面側に支持部材を設置して第１電子部品を収納部に保持し、一方前記支持部材の後方に第２電子部品を配置し、
さらに前記上面側固定部材の前記第１，第２電子部品を取り付けた周囲を覆うと共に、第１電子部品を操作する第１操作つまみと、第２電子部品を操作する第２操作つまみとをそれぞれ露出する第１，第２露出部を設けた化粧ケースを設置したことを特徴とする複合型電子部品。
【請求項２】
前記第２電子部品はその後方に配置された第１裏面側固定部材に取り付けられ、この第１裏面側固定部材が前記上面側固定部材に取り付けられることを特徴とする請求項１に記載の複合型電子部品。
【請求項３】
前記第１裏面側固定部材の後方に第２裏面側固定部材を設置し、この第２裏面側固定部材が前記上面側固定部材に取り付けられることを特徴とする請求項２に記載の複合型電子部品。
【請求項４】
前記化粧ケースは湾曲面を有し、前記第１，第２露出部はこの湾曲面の所定位置に互いに平行とは異なる方向を向いていることを特徴とする請求項１又は２又は３に記載の複合型電子部品。
【請求項５】
前記第１電子部品は第１操作つまみによって押圧操作される押圧型スイッチであることを特徴とする請求項１乃至４の内の何れかに記載の複合型電子部品。
【請求項６】
前記第２電子部品は第２操作つまみによって回動操作される回転式電子部品であることを特徴とする請求項１乃至５の内の何れかに記載の複合型電子部品。
【請求項７】
上面側固定部材に設けた収納部に第１電子部品を収納し、その裏面側に支持部材を設置して第１電子部品を収納部に保持する工程と、
前記支持部材の後方に第２電子部品が取り付いた第１裏面側固定部材を配置してこの第１裏面側固定部材を上面側固定部材に取り付ける工程と、
前記第１裏面側固定部材の後方に第２裏面側固定部材を設置してこの第２裏面側固定部材を前記上面側固定部材に取り付ける工程と、
前記第１電子部品を操作する第１操作つまみと、第２電子部品を操作する第２操作つまみとをそれぞれ露出する第１，第２露出部を設けた化粧ケースを、前記上面側固定部材の前記第１，第２電子部品を取り付けた周囲を覆うように設置する工程と、を具備することを特徴とする複合型電子部品の製造方法。
【発明の詳細な説明】
【技術分野】
【０００１】
本発明は、複数の電子部品を集積して設置するのに好適な複合型電子部品及びその製造方法に関するものである。
【背景技術】
【０００２】
従来例えば携帯機器の中には、複数の操作つまみを１本の指で容易に操作できるようにするため、前記複数の操作つまみを接近して設置することが求められる場合があった。
【０００３】
しかしながら複数の電子部品を接近して設置する場合、狭い場所に多数の部品を組み込むこととなるので構造が複雑になり、組み立ても煩雑になり、また強度上の問題も生じていた。特に設置しようとする複数の電子部品が異なる形状・構造・寸法の場合（例えば押圧型スイッチと回転式電子部品の場合）、これらを機器の外装ケースの裏面側に集積して設置し、且つそれらの操作つまみを接近させて設置することは、機器の小型化に伴ない困難になっていた。
【発明の開示】
【発明が解決しようとする課題】
【０００４】
本発明は上述の点に鑑みてなされたものでありその目的は、複数の電子部品及びそれらの操作つまみを簡単な構造で容易に接近して設置することができる複合型電子部品及びその製造方法を提供することにある。
【課題を解決するための手段】
【０００５】
本願請求項１に記載の発明は、上面側固定部材に設けた収納部に第１電子部品を収納し、その裏面側（後方）に支持部材を設置して第１電子部品を収納部に保持し、一方前記支持部材の後方に第２電子部品を配置し、さらに前記上面側固定部材の前記第１，第２電子部品を取り付けた周囲を覆うと共に、第１電子部品を操作する第１操作つまみと、第２電子部品を操作する第２操作つまみとをそれぞれ露出する第１，第２露出部を設けた化粧ケースを設置したことを特徴とする複合型電子部品にある。
【０００６】
本願請求項２に記載の発明は、前記第２電子部品はその後方に配置された第１裏面側固定部材に取り付けられ、この第１裏面側固定部材が前記上面側固定部材に取り付けられることを特徴とする請求項１に記載の複合型電子部品にある。
【０００７】
本願請求項３に記載の発明は、前記第１裏面側固定部材の後方に第２裏面側固定部材を設置し、この第２裏面側固定部材が前記上面側固定部材に取り付けられることを特徴とする請求項２に記載の複合型電子部品にある。
【０００８】
本願請求項４に記載の発明は、前記化粧ケースは湾曲面を有し、前記第１，第２露出部はこの湾曲面の所定位置に互いに平行とは異なる方向を向いていることを特徴とする請求項１又は２又は３に記載の複合型電子部品にある。
【０００９】
本願請求項５に記載の発明は、前記第１電子部品は第１操作つまみによって押圧操作される押圧型スイッチであることを特徴とする請求項１乃至４の内の何れかに記載の複合型電子部品にある。
【００１０】
本願請求項６に記載の発明は、前記第２電子部品は第２操作つまみによって回動操作される回転式電子部品であることを特徴とする請求項１乃至５の内の何れかに記載の複合型電子部品にある。
【００１１】
本願請求項７に記載の発明は、上面側固定部材に設けた収納部に第１電子部品を収納し、その裏面側に支持部材を設置して第１電子部品を収納部に保持する工程と、前記支持部材の後方に第２電子部品が取り付いた第１裏面側固定部材を配置してこの第１裏面側固定部材を上面側固定部材に取り付ける工程と、前記第１裏面側固定部材の後方に第２裏面側固定部材を設置してこの第２裏面側固定部材を前記上面側固定部材に取り付ける工程と、前記第１電子部品を操作する第１操作つまみと、第２電子部品を操作する第２操作つまみとをそれぞれ露出する第１，第２露出部を設けた化粧ケースを、前記上面側固定部材の前記第１，第２電子部品を取り付けた周囲を覆うように設置する工程と、を具備することを特徴とする複合型電子部品の製造方法にある。
【発明の効果】
【００１２】
請求項１に記載の発明によれば、上面側固定部材の収納部に収納した第１電子部品の裏面側に支持部材を設置し、支持部材の後方に第２電子部品を配置したものを化粧ケースで覆うという部品点数の少ない簡単な構造で複合型電子部品を構成することができ、組み立ても容易で、両電子部品を容易に接近して設置することが可能となる。
【００１３】
請求項２に記載の発明によれば、第２電子部品を取り付けた第１裏面側固定部材を上面側固定部材に取り付けるので、上面側固定部材に取り付けた第１電子部品の後方への第２電子部品の設置が容易に行なえる。
【００１４】
請求項３に記載の発明によれば、第２電子部品を取り付ける第１裏面側固定部材の他に第２裏面側固定部材を設置したので、第２裏面側固定部材にこの複合型電子部品以外の別の電子部品を取り付けることができ、別の電子部品を含む複合型電子部品の一体化（ブロック化）が図れる。
【００１５】
請求項４に記載の発明によれば、第１，第２操作つまみを互いに異なる方向に向けて化粧ケースから露出させることができる。
【００１６】
請求項５に記載の発明によれば、第１電子部品を押圧型スイッチとすることができる。
【００１７】
請求項６に記載の発明によれば、第２電子部品を回転式電子部品とすることができる。
【００１８】
請求項７に記載の発明によれば、上面側固定部材に対して、順次、第１電子部品、第２電子部品が取り付いた第１裏面側固定部材、第２裏面側固定部材、を取り付けていくので、その組立作業が容易となる。またこのようにして一体化したものの周囲に化粧ケースを設置するので、化粧ケースの取り付けも容易になる。
【発明を実施するための最良の形態】
【００１９】
以下、本発明の実施形態を図面に基づいて詳細に説明する。
図１は本発明の第１実施形態にかかる複合型電子部品１の要部概略断面図、図２，図３は複合型電子部品１の分解斜視図（両図を合わせて１つの図面となる）である。なお図２，図３では複合型電子部品１の内の化粧ケース２００と第１操作つまみ２１０の記載を省略している。これらの図に示すように複合型電子部品１は、上面側固定部材１０に設けた収納部１１に第１電子部品（以下「押圧型スイッチ」という）５０を収納し、その裏面側に支持部材８０を設置して押圧型スイッチ５０を収納部１１に保持し、前記支持部材８０の後方に第１裏面側固定部材（以下「基台」という）１２１に取り付いた第２電子部品（以下「回転式電子部品」という）１２０と第２裏面側固定部材１８０とを配置し、さらにこれら押圧型スイッチ５０や回転式電子部品１２０を取り付けた上面側固定部材１０の周囲を覆うように化粧ケース２００を設置して構成されている。以下各構成部品について説明する。
【００２０】
上面側固定部材１０は合成樹脂の成形品であり、その面を表面側（化粧ケース２００に対向する面側）に円形に突出することでその裏面側に円形凹状の収納部１１を設け、収納部１１の中央の面に円形に貫通する開口１３を設け、また凹状の収納部１１の周囲の略１８０°対向する位置に一対の小突起状の支持部材取付部１７（図２ではその一方のみ示す）を設け、また収納部１１の下側略半分に第２操作つまみ収納空間１９を設け、その下部に略矩形状の凹部からなる取付部収納部２１を設けて構成されている。第２操作つまみ収納空間１９の周囲を囲む上面側固定部材１０の裏面側の端面からは裏面側に向かって複数本（四本）の小突起状の固定部２３が設けられている。また取付部収納部２１の底面には矩形状で薄い深さの凹状のガイド溝２５が設けられ、その両側には裏面側に向かって突出する一対の小突起状の取付部２７（図２ではその一方のみ示す）が設けられている。また取付部収納部２１の下側の側壁中央には裏面側に向かって突出する小突起状の取付固定部２９が設けられている。
【００２１】
押圧型スイッチ５０は、略矩形状の作動部材５１の両面にそれぞれフレキシブル回路基板からなる第１，第２スイッチ基板部５３，５５を取り付けて構成されている。作動部材５１は合成樹脂製であり、前記上面側固定部材１０の収納部１１内に収納される外形寸法形状に形成されている。この作動型物５１の第１スイッチ基板部５３を取り付ける表側（開口１３側）の面は略平面状に形成され、第２スイッチ基板部５５を取り付ける裏側（支持部材８０側）の面は略平面状であってその外周を囲むように側壁部６１を突設して構成されている。作動型物５１の両面には、２本ずつ小突起状の固定部６５，６７（固定部６５は図１参照）が突設されている（図ではその先端を熱カシメした状態を示している）。
【００２２】
第１スイッチ基板部５３は、作動部材５１の外形形状とほぼ同一の外形形状（略矩形形状）を有する合成樹脂フイルムの中央に第１押圧スイッチ７１を設けて構成されており、第２スイッチ基板部５５は、作動部材５１の前記側壁部６１の内側に収納される外形形状（略矩形状）を有する合成樹脂フイルムの中央に第２押圧スイッチ７３を設けて構成されている。第１，第２スイッチ基板部５３，５５を構成する合成樹脂フイルムは同一の合成樹脂フイルム（例えばポリエチレンテレフタレート（ＰＥＴ）フイルム）であり、両者は帯状の連結部７５によって連結されており、また第１スイッチ基板部５３の外周からは帯状の出力用の第１フレキシブル回路基板７７が引き出されている。第１，第２押圧スイッチ７１，７３は何れも合成樹脂フイルム上に一対の接点パターンを設け、その上に弾性金属板をドーム形状に形成してなる反転板７９を、反転板７９の外周辺が一方の接点パターンに当接し、反転板７９の中央下面が他方の接点パターン上に所定間隔を有して対向するように取り付けて構成されている。なおこの実施形態の場合、第１押圧スイッチ７１の反転板７９の反転時の押圧力が、第２押圧スイッチ７３の反転板７９の反転時の押圧力よりも弱くなるように構成している。また第１，第２スイッチ基板部５３，５５の前記固定部６５，６７に対向する位置には小孔が設けられており、これら小孔に前記固定部６５，６７を挿入してその先端を熱カシメすることで、連結部７５を折り返した状態で第１，第２スイッチ基板部５３，５５を作動部材５１の両面に取り付けている。また第１フレキシブル回路基板７７中の所定位置にも小孔７８が設けられている。
【００２３】
支持部材８０は合成樹脂製であり、略円板状の支持本体部８１の裏面側（回転式電子部品１２０側）から支持部８２及び基板ガイド部８３を突出し、また支持本体部８１の下部から裏面側に屈曲した後に下方に屈曲して延びる略矩形状の取付部（基板ガイド溝形成部）８５を設けて構成されている。支持本体部８１は前記上面側固定部材１０の収納部１１の裏面側に設置される外形形状に形成され、その表面側（押圧型スイッチ５０側）の中央に柱状の押圧部８７を突設し、また支持本体部８１の左右両側から一対の舌片状の突出部８９を突出してその内部に小孔からなる取付固定部９１を設けている。各取付固定部９１は前記上面側固定部材１０の各支持部材取付部１７に対向する位置に設けられている。支持部８２と基板ガイド部８３はこの実施形態では一体に形成されており、棒状に延びる一対の平行に設置した支持部８２の間を連結するように平板状の基板ガイド部８３が設けられている。基板ガイド部８３の幅は、下記する回転式電子部品１２０から引き出される第２フレキシブル回路基板１５５の幅よりも少し長い寸法に形成されている。また両支持部８２の突出長さは同一で、基板ガイド部８３の突出長さは支持部８２の突出長さよりも少し短く形成されている。取付部８５には２つの小孔からなる固定部９３が設けられている。これら固定部９３は前記上面側固定部材１０の取付部２７に対向する位置に設けられている。
【００２４】
回転式電子部品１２０は合成樹脂製の基台１２１の一方の側の面から突出する柱状の軸１２３を、合成樹脂製で円板状の第２操作つまみ１２５の中央に設けた貫通孔１２７に回動自在に挿入し、その際第２操作つまみ１２５の基台１２１側の面に取り付けた弾性金属板製の摺動子１２９の摺接部１３１を基台１２１の軸１２３を突出した側の面に載置した回路基板部１３３上に設けた摺接パターン（この実施形態ではスイッチパターン）１３５に当接し、さらに第２操作つまみ１２５を貫通した軸１２３の先端をクリックばね１３９中央の開口１４１と押え部材１４３中央の開口１４５とに挿入し、軸１２３の先端を熱カシメによって固定して構成されている。なお第２操作つまみ１２５の摺動子１２９を取り付けた裏面側の面にはリング状の平板からなるクリック板１４７が取り付けられており、このクリック板１４７にリング状に複数個等間隔に設けたクリック孔１４９に前記クリックばね１３９の弾発部が弾接する。またクリックばね１３９と押え部材１４３とは予め一体に固定されており、固定された両者が軸１２３に取り付けられている。押え部材１４３はその外周近傍部分を第２操作つまみ１２５のクリック板１４７を収納するクリック板収納凹部１５１の周囲に設けたリング状の突起からなる当接部１５３に当接させることで第２操作つまみ１２５が軸１２３から抜けることを防止している。また回転式電子部品１２０の下部からは出力用の第２フレキシブル回路基板１５５が引き出されている。この第２フレキシブル回路基板１５５は前記回路基板部１３３と同じ合成樹脂フイルム（例えばＰＥＴフイルム）上に形成されており、回路基板部１３３の下部に連結されている。基台１２１はその上部である半円形状のつまみ取付部１５７と、下部である矩形状の基部１５９とを具備し、つまみ取付部１５７の裏面側（第２操作つまみ１２５を取り付ける面の裏面側）の左右両側から一対の小突起状の係止部１６１を突出し、基部１５９の４隅に小孔からなる係合部１６３を設けている。各係合部１６３は前記上面側固定部材１０の各固定部２３に対向する位置に設けられている。
【００２５】
第２裏面側固定部材１８０は金属板を板金加工して形成されており、前記基台１２１の裏面側の形状と略同一の基台支持部１８１を設けて構成されている。基台支持部１８１の下辺は基台１２１側に向かって９０°折り曲げられた後、下方向に向かって９０°折り曲げられている。基台支持部１８１の前記基台１２１の各係止部１６１に対向する位置にはこれらを挿通する開口部１８３が設けられており、また前記基台１２１の各係合部１６３に対向する位置には各係合部１６３よりもその径の大きい孔又は溝からなる挿通部１８５が設けられており、さらに第２裏面側固定部材１８０の下部（基台支持部１８１の下方でこの基台支持部１８１と平行に延びている面）にも開口１８７（図１参照）が設けられている。なおこの第２裏面側固定部材１８０の下部は、図示はしないが本実施形態にかかる複合型電子部品１−１以外の各種電子部品（別の電子部品）を取り付けることができるような取付面となっている。
【００２６】
化粧ケース２００は図１に示すように、上面側固定部材１０の押圧型スイッチ５０と回転式電子部品１２０を取り付けた周囲を覆う形状に湾曲面を有して形成されており、且つ前記押圧型スイッチ５０を押圧操作する第１操作つまみ２１０と、前記回転式電子部品１２０の第２操作つまみ１２５とを露出する第１，第２露出部２０１，２０３を有している。第１，第２露出部２０１，２０３は化粧ケース２００の湾曲面の所定位置に互いに平行とは異なる方向（同一方向ではない方向）を向いている。化粧ケース２００は合成樹脂を成形することで構成されており、一体成形でも良いし、複数の部材を組み合わせることで構成しても良い。一方化粧ケース２００に取り付けられる第１操作つまみ２１０は合成樹脂製であり、略円板状のキートップ本体部２１１の外周下部から複数本のアーム２１３を突出してその先端に爪部２１４を設け、またキートップ本体部２１１の下面中央から柱状の押圧部２１５を突出して構成されている。第１操作つまみ２１０はその爪部２１４の部分が化粧ケース２００の第１露出部２０１の底面に設けた小孔２０５内にスナップイン係合され、所定距離上下動自在に設置され、第１操作つまみ２１０の下面と第１露出部２０１の底面間をコイルばねなどの弾発手段２０７で上方向に弾発して取り付けられている。
【００２７】
次にこの複合型電子部品１の組立方法を説明する。まず予め押圧型スイッチ５０から引き出された第１フレキシブル回路基板７７と、回転式電子部品１２０から引き出された第２フレキシブル回路基板１５５とを所定位置で接続固定手段（図１参照）２２０によって連結しておく（図２，図３には接続固定手段２２０は示さず）。これによって第１フレキシブル回路基板７７と第２フレキシブル回路基板１５５とが一体化される。なお両者を２部品としてではなく、１枚のフレキシブル回路基板で構成しても良い。そしてまず上面側固定部材１０に設けた収納部１１に押圧型スイッチ５０を収納する。このとき押圧型スイッチ５０の第１押圧スイッチ７１は上面側固定部材１０の開口１３に露出する。次に押圧型スイッチ５０の裏面側（後方）から支持部材８０を上面側固定部材１０に取り付け、その際上面側固定部材１０の一対の支持部材取付部１７を支持部材８０の一対の取付固定部９１に挿入し、同時に上面側固定部材１０の一対の取付部２７を支持部材８０の一対の固定部９３に挿入し、これら支持部材取付部１７の先端と取付部２７の先端とを熱カシメし、これによって上面側固定部材１０に支持部材８０を取り付けて、収納部１１に押圧型スイッチ５０を保持する。このとき図１に示すように、上面側固定部材１０に設けたガイド溝２５と支持部材８０の取付部８５の間に形成される基板ガイド溝２３０に第１フレキシブル回路基板７７を通しておく。次に支持部材８０の裏面側（後方）に回転式電子部品１２０を配置し、その際上面側固定部材１０の第２操作つまみ収納空間１９に第２操作つまみ１２５を収納し、同時に上面側固定部材１０の各固定部２３を回転式電子部品１２０の各係合部１６３に挿入してその先端を基台１２１の裏面側で熱カシメして取り付ける。次に回転式電子部品１２０の裏面側に第２裏面側固定部材１８０を設置し、その際前記熱カシメした各固定部２３の先端を第２裏面側固定部材１８０の各挿通部１８５に露出し、且つ回転式電子部品１２０の各係止部１６１を第２裏面側固定部材１８０の各開口部１８３に挿入する。同時に上面側固定部材１０の取付固定部２９を第１フレキシブル回路基板７７の小孔７８と第２裏面側固定部材１８０の開口１８７に挿入する。次に前記係止部１６１と取付固定部２９とを第２裏面側固定部材１８０の裏面側で熱カシメする。そして図１に示すように上面側固定部材１０の押圧型スイッチ５０と回転式電子部品１２０とを取り付けた周囲を覆うように化粧ケース２００を設置し、第１操作つまみ２１０と第２操作つまみ１２５とをそれぞれ化粧ケース２００に設けた第１，第２露出部２０１，２０３に露出する。これによって複合型電子部品１が完成する。
【００２８】
そして第１操作つまみ２１０のキートップ本体部２１１を押圧すると、その押圧部２１５が第１押圧スイッチ７１の反転板７９を反転し、これによって第１押圧スイッチ７１がオンする。さらに第１操作つまみ２１０を押圧すれば、第１押圧スイッチ７１がオンした状態のまま、作動部材５１が押圧方向に移動して第２押圧スイッチ７３の反転板７９が支持部材８０の押圧部８７によって押圧されて反転し、これによって第２押圧スイッチ７３がオンする。第１操作つまみ２１０への押圧を解除していけば、第２押圧スイッチ７３、第１押圧スイッチ７１の順にスイッチがオフする。一方第２操作つまみ１２５を回動すれば、摺動子１２９の摺接部１３１が回路基板部１３３の摺接パターン１３５上を摺接してその出力（この実施形態ではスイッチパターンのオンオフ状態）が変化する。なお第２操作つまみ１２５の回動の際、クリックばね１３９の弾発部がクリック板１４７のクリック孔１４９への係合・離脱を繰り返すことで、クリック感覚を生じる。
【００２９】
以上のようにこの複合型電子部品１は、上面側固定部材１０に設けた収納部１１に押圧型スイッチ５０を収納し、その裏面側に支持部材８０を設置して押圧型スイッチ５０を収納部１１に保持し、一方支持部材８０の後方に回転式電子部品１２０を配置し、さらに上面側固定部材１０の押圧型スイッチ５０と回転式電子部品１２０とを取り付けた周囲を覆うと共に押圧型スイッチ５０を操作する第１操作つまみ２１０と、回転式電子部品１２０を操作する第２操作つまみ１２５とをそれぞれ露出する第１，第２露出部２０１，２０３を設けた化粧ケース２００を設置して構成されている。このように、上面側固定部材１０の収納部１１に収納した押圧型スイッチ５０の裏面側に支持部材８０を設置し、支持部材８０の後方に回転式電子部品１２０を配置したものを化粧ケース２００で覆った構成としたので、部品点数の少ない簡単な構造で複合型電子部品１が構成でき、組み立ても容易で、押圧型スイッチ５０と回転式電子部品１２０とを容易に接近して設置することが可能となる。
【００３０】
そしてこの複合型電子部品１においては図１に示すように、支持部材８０にこの支持部材８０から突出する支持部８２を設け、この支持部８２の先端８２ａをこの複合型電子部品１の固定側部材の１つである基台１２１（その基部１５９）に当接している。これによって前記第１操作つまみ２１０を押圧して第１，第２押圧スイッチ７１，７３をオンする際に支持部材８０に加えられる押圧力を支えることができる。支持部８２による支持をより確実にするため、この実施形態では支持部８２の支持本体部８１からの突出方向が第１操作つまみ２１０の押圧方向と平行になるようにしている。支持部材８０は上面側固定部材１０に設けた一対の支持部材取付部１７と一対の取付部２７の先端の熱カシメによって上面側固定部材１０に取り付けられている。しかしながら支持部８２がないと、前記第１操作つまみ２１０を繰り返して継続的に押圧操作したり、或いは第１操作つまみ２１０を強い力で押圧したような場合に、それらの負荷が支持部材８０に加わることで支持部材８０が変形したり、前記熱カシメによる支持部材８０の取り付けに緩みが生じてがたつきが生じる恐れがある。そこでこの実施形態においては上述のように、支持部８２を設けて支持部材８０を支えることで、前記支持部材８０の変形やがたつきを確実に防止して良好な第１操作つまみ２１０の押圧操作感触が継続的に得られるようにしている。特に支持部材８０が小型化した場合、その強度を強く保てて好適である。
【００３１】
またこの実施形態においては図１に示すように、押圧型スイッチ５０から引き出された第１フレキシブル回路基板７７を基板ガイド溝２３０によって所望の位置までガイドしているので、第１フレキシブル回路基板７７が、集積して設置した２つの電子部品（押圧型スイッチ５０と回転式電子部品１２０）を構成する各部材に当接することを防止できる。即ちこの実施形態の場合、予め組み立てた押圧型スイッチ５０を上面側固定部材１０に組み込むので、押圧型スイッチ５０から引き出される第１フレキシブル回路基板７７はその組み立て良さを考慮してある程度長い寸法に形成されている。このため実際に押圧型スイッチ５０を上面側固定部材１０に取り付けた際、第１フレキシブル回路基板７７には余りの部分が生じて撓んだ状態となる。そこでこの実施形態においては前述のように、基板ガイド溝２３０を設けることによって第１フレキシブル回路基板７７の余っている部分をガイドし、これによって第１フレキシブル回路基板７７が他の各部品に当接する等の不都合を解消したのである。
【００３２】
またこの実施形態においては図１に示すように、回転式電子部品１２０から引き出された第２フレキシブル回路基板１５５が基板ガイド部８３によって第２操作つまみ１２５から離れる方向にガイドされるので、第２フレキシブル回路基板１５５が第２操作つまみ１２５に当接することを防止できる。即ちこの実施形態の場合、第２操作つまみ１２５は支持部材８０の裏面側に対向して設置されており、一方回転式電子部品１２０から引き出される第２フレキシブル回路基板１５５は第２操作つまみ１２５の面と接近して略平行にその半径方向外側に向けて突出していて両者は接近しており、且つ回転式電子部品１２０を上面側固定部材１０に取り付ける際の組み立て良さを考慮してある程度長い寸法に形成されている。このため実際に回転式電子部品１２０を上面側固定部材１０に取り付けた際、第２フレキシブル回路基板１５５には余りの部分が生じて撓んだ状態となる。そしてこの撓んだ部分が前記支持部材８０の裏面側に位置して且つ第２フレキシブル回路基板１５５に接近して設置されている第２操作つまみ１２５に当接すると、第２操作つまみ１２５の回動感覚を阻害したり、逆に第２フレキシブル回路基板１５５を損傷する恐れが生じる。そこでこの実施形態においては前述のように、基板ガイド部８３によって回転式電子部品１２０から引き出された第２フレキシブル回路基板１５５が第２操作つまみ１２５に触れないように第２フレキシブル回路基板１５５を第２操作つまみ１２５から離れる方向にガイド（押圧）したのである。特にこの実施形態においては、一対の支持部８２の間を連結するように基板ガイド部８３を一体に設けたので、支持部８２と基板ガイド部８３とが相互に強度を補強し合い、両者が小型化されてそれらの強度が単独では弱くなっても、十分各機能を発揮できるだけの強度が保持できるようになる。またこの実施形態においては回転式電子部品１２０を取り付けた基台１２１を上面側固定部材１０に取り付けるので、上面側固定部材１０に取り付けた押圧型スイッチ５０の後方への回転式電子部品１２０の設置が容易に行なえる。またこの実施形態においては、回転式電子部品１２０を取り付ける基台１２１の他に第２裏面側固定部材１８０を設置したので、第２裏面側固定部材１８０にこの複合型電子部品１−１以外の別の電子部品を取り付けることができ、別の電子部品を含む複合型電子部品１−１の一体化（ブロック化）が図れる。またこの実施形態においては、上面側固定部材１０に対して、順次、押圧型スイッチ５０、回転式電子部品１２０が取り付いた基台１２１、第２裏面側固定部材１８０、を取り付けていくので、その組立作業が容易となる。またこのようにして一体化したものの周囲に化粧ケース２００を設置するので、化粧ケース２００の取り付けも容易になる。
【００３３】
図４は本発明の第２実施形態にかかる複合型電子部品１−２の要部概略断面図、図５，図６は複合型電子部品１−２の分解斜視図（両図を合わせて１つの図面となる）である。なお図５，図６では複合型電子部品１−２の内の化粧ケース２００と第１操作つまみ２１０の記載を省略している。この実施形態において、前記第１実施形態にかかる複合型電子部品１と同一又は相当部分には同一符号を付す。なお以下で説明する事項以外の事項については、前記図１〜図３に示す第１実施形態と同じである。これらの図に示すように複合型電子部品１−２も、上面側固定部材１０に設けた収納部１１に第１電子部品（以下「押圧型スイッチ」という）５０を収納し、その裏面側に支持部材８０を設置して押圧型スイッチ５０を収納部１１に保持し、前記支持部材８０の後方に第２電子部品（以下「回転式電子部品」という）１２０と第２裏面側固定部材１８０とを配置し、さらにこれら押圧型スイッチ５０や回転式電子部品１２０を取り付けた上面側固定部材１０の周囲を覆うように化粧ケース２００を設置して構成されている。
【００３４】
そしてこの実施形態において第１実施形態と相違する点は、支持部材８０をその前方側の上面側固定部材１０に取り付ける代りに、後方側に設置した固定側部材である回転式電子部品１２０の基台１２１に取り付けた点である。このためこの実施形態では第１実施形態で設けていた上面側固定部材１０の支持部材８０を取り付けるための支持部材取付部１７と取付部２７を省略し、回転式電子部品１２０の基台１２１に新たに一対の小孔からなる取付部１６５を水平な位置に設け、そして支持部材８０の構造を変更している。
【００３５】
即ち支持部材８０は合成樹脂製であり、略矩形状の支持本体部８１の裏面側（回転式電子部品１２０側）から支持部８２及び基板ガイド部８３を突出し、また支持本体部８１の下部から裏面側に屈曲した後に下方に屈曲して延びる略矩形状の基板ガイド溝形成部８５を設けて構成されている。支持本体部８１は前記上面側固定部材１０の収納部１１の裏面側に設置される外形形状に形成され、その表面側（押圧型スイッチ５０側）の中央に柱状の押圧部８７を突設している。支持部８２と基板ガイド部８３はこの実施形態では一体に形成されており、矩形平板状に延びる一対の平行に設置した支持部８２の間を連結するように平板状の基板ガイド部８３が設けられている。基板ガイド部８３の幅は第２フレキシブル回路基板１５５の幅よりも少し長い寸法に形成されている。両支持部８２の突出長さは同一で、基板ガイド部８３の突出長さは支持部８２の突出長さよりも少し短く形成されている。両支持部８２の先端辺は外方向（両者が離れる方向）に向かって直角に折り曲げられ、その先端側の部分を矩形平板状の当接取付部９５としている。当接取付部９５にはそれぞれ後方（回転式電子部品１２０側）に向かって突出する一対の小突起状の固定部９７が設けられている。
【００３６】
一方回転式電子部品１２０の基台１２１に設ける取付部１６５は、前記一対の固定部９７に対向する位置でこれら固定部９７を挿入する寸法に形成され、また各取付部１６５の第２裏面側固定部材１８０側の面には取付部１６５の内径よりも大きい内径の凹部１６７を設けている。
【００３７】
そしてこの複合型電子部品１−２を組み立てるには、第１実施形態と同様に、まず予め押圧型スイッチ５０から引き出された第１フレキシブル回路基板７７と、回転式電子部品１２０から引き出された第２フレキシブル回路基板１５５とを所定位置で接続固定手段（図４参照）２２０によって連結しておく（図５，図６には接続固定手段２２０は示さず）。一方回転式電子部品１２０の前面側に支持部材８０を設置し、その際支持部材８０の一対の固定部９７を基台１２１の一対の取付部１６５に挿入し、固定部９７の先端を熱カシメする。その際熱カシメした固定部９７の先端は凹部１６７内に収納される。そして上面側固定部材１０に設けた収納部１１に押圧型スイッチ５０を収納する。次に押圧型スイッチ５０の裏面側（後方）から支持部材８０を取り付けた回転式電子部品１２０を配置し、その際上面側固定部材１０の第２操作つまみ収納空間１９に第２操作つまみ１２５を収納し、同時に上面側固定部材１０の各固定部２３を回転式電子部品１２０の各係合部１６３に挿入してその先端を基台１２１の裏面側で熱カシメして取り付ける。このとき図４に示すように、上面側固定部材１０に設けたガイド溝２５と支持部材８０の基板ガイド溝形成部８５の間に形成される基板ガイド溝２３０に第１フレキシブル回路基板７７を通しておく。次に回転式電子部品１２０の裏面側に第２裏面側固定部材１８０を設置し、その際前記熱カシメした各固定部２３の先端を第２裏面側固定部材１８０の各挿通部１８５に露出し、且つ回転式電子部品１２０の各係止部１６１を第２裏面側固定部材１８０の各開口部１８３に挿入する。同時に上面側固定部材１０の取付固定部２９を第１フレキシブル回路基板７７の小孔７８と第２裏面側固定部材１８０の開口１８７に挿入し、係止部１６１と取付固定部２９とを第２裏面側固定部材１８０の裏面側で熱カシメする。そして図４に示すように上面側固定部材１０の押圧型スイッチ５０と回転式電子部品１２０とを取り付けた周囲を覆うように化粧ケース２００を設置し、第１操作つまみ２１０と第２操作つまみ１２５とをそれぞれ化粧ケース２００に設けた第１，第２露出部２０１，２０３に露出する。これによって複合型電子部品１−２が完成する。
【００３８】
押圧型スイッチ５０と回転式電子部品１２０の操作方法及び動作は第１実施形態と同じである。以上のようにこの複合型電子部品１−２も、上面側固定部材１０に設けた収納部１１に押圧型スイッチ５０を収納し、その裏面側に支持部材８０を設置して押圧型スイッチ５０を収納部１１に保持し、一方支持部材８０の後方に回転式電子部品１２０を配置し、さらに上面側固定部材１０の押圧型スイッチ５０と回転式電子部品１２０とを取り付けた周囲を覆うと共に押圧型スイッチ５０を操作する第１操作つまみ２１０と、回転式電子部品１２０を操作する第２操作つまみ１２５とをそれぞれ露出する第１，第２露出部２０１，２０３を設けた化粧ケース２００を設置して構成されている。このように、上面側固定部材１０の収納部１１に収納した押圧型スイッチ５０の裏面側に支持部材８０を設置し、支持部材８０の後方に回転式電子部品１２０を配置したものを化粧ケース２００で覆った構成としたので、部品点数の少ない簡単な構造で複合型電子部品１−２が構成でき、組み立ても容易で、押圧型スイッチ５０と回転式電子部品１２０とを容易に接近して設置することが可能となる。
【００３９】
そしてこの複合型電子部品１−２においては、支持部材８０の支持部８２をこの複合型電子部品１−２の固定側部材の１つである基台１２１（その基部１５９）に取り付けているので、第１操作つまみ２１０を押圧して第１，第２押圧スイッチ７１，７３をオンする際に支持部材８０に加えられる押圧力を支えることができる。またこの実施形態においては第１実施形態と同様に図４に示すように、押圧型スイッチ５０から引き出された第１フレキシブル回路基板７７を基板ガイド溝２３０によって所望の位置までガイドしているので、第１フレキシブル回路基板７７が、集積して設置した２つの電子部品を構成する各部材に当接することを防止できる。またこの実施形態においては第１実施形態と同様に図４に示すように、回転式電子部品１２０から引き出された第２フレキシブル回路基板１５５が基板ガイド部８３によって第２操作つまみ１２５から離れる方向にガイドされるので、第２フレキシブル回路基板１５５が第２操作つまみ１２５に当接することを防止できる。この実施形態においても、一対の支持部８２の間を連結するように基板ガイド部８３を一体に設けたので、支持部８２と基板ガイド部８３とが相互に強度を補強し合い、両者が小型化されてそれらの強度が単独では弱くなっても、十分各機能を発揮できるだけの強度が保持できるようになる。なお上記以外の各種効果も第１実施形態と同様に生じることはいうまでもない。
【００４０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では第１，第２電子部品として押圧型スイッチ５０と回転式電子部品１２０とを用いたが、それぞれ他の各種電子部品を用いても良い。押圧型スイッチ５０は、２段押圧型スイッチでなく、１段又は３段以上の押圧型スイッチでも良い。また上記実施形態では上面側固定部材１０に設けたガイド溝２５と支持部材８０の取付部（基板ガイド溝形成部）８５の間によって基板ガイド溝２３０を形成したが、凹状のガイド溝を取付部（基板ガイド溝形成部）８５側に設けたり、または両者に凹状のガイド溝を設けること等によって基板ガイド溝を形成しても良い。また上記各実施形態では支持部材８０から突出する支持部８２を固定側部材の１つである基台１２１に当接（取り付けを含む）しているが、その代りに第２裏面側固定部材１８０等の他の固定側部材に当接してこれを支えても良く、要は支持部８２を当接（取り付けを含む）させる固定側部材は複合型電子部品１，１−２を構成する部材の内の固定側の部品（静止している部品）であればどの部品であっても良い。
【図面の簡単な説明】
【００４１】
【図１】複合型電子部品１の要部概略断面図である。
【図２】複合型電子部品１の分解斜視図（その一部）である。
【図３】複合型電子部品１の分解斜視図（その一部）である。
【図４】複合型電子部品１−２の要部概略断面図である。
【図５】複合型電子部品１−２の分解斜視図（その一部）である。
【図６】複合型電子部品１−２の分解斜視図（その一部）である。
【符号の説明】
【００４２】
１  複合型電子部品
１０  上面側固定部材
１１  収納部
５０  押圧型スイッチ（第１電子部品）
５１  作動部材
５３  第１スイッチ基板部
５５  第２スイッチ基板部
７１  第１押圧スイッチ
７３  第２押圧スイッチ
７７  第１フレキシブル回路基板
８０  支持部材
８１  支持本体部
８２  支持部
８２ａ  先端
８３  基板ガイド部
１２０  回転式電子部品（第２電子部品）
１２１  基台（第１裏面側固定部材）
１２５  第２操作つまみ
１５５  第２フレキシブル回路基板
１８０  第２裏面側固定部材
２００  化粧ケース
２１０  第１操作つまみ
２３０  基板ガイド溝
【図１】
0004614233.tif 000002
【図２】
0004614233.tif 000003
【図３】
0004614233.tif 000004
【図４】
0004614233.tif 000005
【図５】
0004614233.tif 000006
【図６】
0004614233.tif 000007